(57)【要約】【課題】タッチパネルを備えた電子機器に設けられる機械的なスイッチを削減する。【解決手段】タッチパネル１１とは別体で電源スイッチ１５を設ける。通常動作モード時に、電源スイッチ１５が所定時間以上操作された場合には停止動作モードへ移行する。すなわち、電源をオフする。通常動作モード時に、電源スイッチ１５が所定時間よりも短い時間のみ操作された場合には、タッチパネルからの操作入力を無効にするホールド状態と有効にするホールド解除状態とを切り換える。【選択図】      図１
2006107194.tif 000002
【特許請求の範囲】
【請求項１】
画像を表示するとともに、ユーザからのタッチ操作入力を検出するタッチパネルと、
上記タッチパネルとは別体で設けられたユーザ操作手段と、
通常の動作が可能な通常動作モードと省電力の停止動作モードとを設定可能な動作モード設定手段と、
上記タッチパネルからの操作入力を無効にするホールド状態と有効にするホールド解除状態とを切り換えることが可能なホールド切換手段と、
上記ユーザ操作手段が所定時間以上操作された場合には上記動作モード設定手段を制御し、上記ユーザ操作手段が所定時間よりも短い時間のみ操作された場合には上記ホールド切換手段を制御する制御手段と、
を具備することを特徴とする電子機器。
【請求項２】
上記制御手段は、上記ユーザ操作手段が所定時間以上操作された場合には上記通常動作モードと上記停止動作モードとの間で切換制御を行い、上記ユーザ操作手段が所定時間よりも短い時間のみ操作された場合には上記ホールド状態とホールド解除状態との間で切換制御を行うことを特徴とする請求項１に記載の電子機器。
【請求項３】
画像を表示するとともに、ユーザからのタッチ操作入力を検出するタッチパネルと、
上記タッチパネルとは別体で設けられたユーザ操作手段と、
通常の動作が可能な通常動作モードと省電力の停止動作モードとを設定可能な動作モード設定手段と、
上記タッチパネルからの操作入力を無効にするホールド状態と有効にするホールド解除状態とを切り換えることが可能なホールド切換手段と、
上記通常動作モード時に上記ユーザ操作手段が所定時間以上操作された場合には動作モードを上記停止動作モードに移行するように制御し、上記通常動作モード時に上記ユーザ操作手段が所定時間よりも短い時間のみ操作された場合には上記ホールド状態とホールド解除状態とを切り換えるように制御する制御手段と、
を具備することを特徴とする電子機器。
【請求項４】
上記ユーザ操作手段が操作されてから所定時間が経過したことを報知する報知手段、
をさらに具備することを特徴とする請求項３に記載の電子機器。
【請求項５】
上記報知手段は発光素子を有し、上記所定時間が経過した場合には上記発光素子を点滅または点灯させることを特徴とする請求項４に記載の電子機器。
【請求項６】
上記報知手段は、上記通常動作モード時でかつ上記ホールド状態が設定されている場合には、上記ユーザ操作手段が操作されてから所定時間が経過したときの報知とは異なる態様でユーザに報知する手段を含むことを特徴とする請求項４に記載の電子機器。
【請求項７】
上記報知手段は発光素子を有し、
上記発光素子は、上記所定時間が経過したときには第１の周期で点滅を行い、上記通常動作モード時でかつ上記ホールド状態が設定されている場合には上記第１の周期とは異なる第２の周期で点滅を行うことを特徴とする請求項６に記載の電子機器。
【請求項８】
上記ホールド切換手段は、上記タッチパネルからの操作入力を無効にするホールド状態とする際、上記タッチパネルの表示を消灯することを特徴とする請求項３に記載の電子機器。
【請求項９】
コンテンツを格納する記憶手段と、
上記コンテンツの種類毎に対応した機能を設定する機能設定手段と、
をさらに具備し、
上記制御手段は、上記機能設定手段により設定されている機能に応じて上記ホールド状態とホールド解除状態との切り換えを制御することを特徴とする請求項３に記載の電子機器。
【請求項１０】
上記制御手段は、上記機能設定手段により設定されている機能が音楽コンテンツを再生可能な音楽再生機能である場合には上記ホールド状態への切換を許可し、上記機能が静止画像を処理する画像処理機能である場合には上記ホールド状態への切換を許可しないように制御することを特徴とする請求項９に記載の電子機器。
【請求項１１】
映像信号および／または音声信号を外部装置へ出力する外部出力手段、
をさらに具備し、
上記制御手段は、上記ユーザ操作手段による上記ホールド状態とホールド解除状態との切換動作に連動して上記外部出力手段からの映像信号および／または音声信号の出力を行うか否かを制御する手段を含むことを特徴とする請求項３に記載の電子機器。
【請求項１２】
クレードルと接続する接続手段と、
上記クレードルに接続されているか否かを検出する検出手段とをさらに具備し、
上記制御手段は、上記検出手段により上記クレードルに接続されていることが検出された場合のみ、上記外部出力手段からの映像信号および／または音声信号の出力を許可する手段を含むことを特徴とする請求項１１に記載の電子機器。
【請求項１３】
上記外部出力手段からの信号出力は、上記クレードルを介して行われることを特徴とする請求項１２に記載の電子機器。
【発明の詳細な説明】
【技術分野】
【０００１】
本発明は、タッチパネルを備えた電子機器に関する。
【背景技術】
【０００２】
近年、ハードディスク等の記憶媒体に音楽データを保存し、この音楽データをＣＰＵで処理して音楽を再生する携帯型プレーヤが開発され、実用化されている。そして、この種の携帯型プレーヤに対しても携帯電話やデジタルカメラ等の携帯型電子機器と同様に多機能化が要望されており、例えば音楽とともに画像を再生する機能を付加すること等が考えられている。
【０００３】
その一方で、上述したような携帯型プレーヤは、製品としてのデザイン性が重視される上、コストを少しでも下げるために、機器本体から余分なスイッチを１つでも減らすことが求められている。そこで、表示部をタッチパネルとし、多機能化に伴い増加する各種の操作スイッチをＧＵＩ（Graphical User Interface）ボタンとしてタッチパネルに表示させることによって、機器本体から操作スイッチを減らす工夫がなされていた。
【０００４】
しかし、タッチパネルは画面に触れるとそれが入力とみなされるので、例えば音楽再生中にユーザが意識せずに停止ボタンに触れてしまって音楽再生が停止するといった誤動作が発生する可能性が高かった。そこで従来、このような誤動作を防止するために、機器本体にホールドスイッチを設け、ホールドスイッチがオンされるとタッチパネルの入力が無効となるホールド状態とするものがあった（例えば、特許文献１参照）。
【特許文献１】特開２００２−２６８７７６号公報
【発明の開示】
【発明が解決しようとする課題】
【０００５】
しかしながら、ホールドスイッチはその機能の性格上、タッチパネル上のＧＵＩボタンとしてしまうとホールド状態を解除できなくなるので、電源スイッチと同様に例えばスライド式スイッチのような機械的なスイッチをホールドスイッチとして独立して設けなければならなかった。このため、従来のこの種の電子機器においては、電源スイッチとホールドスイッチの２種類の機械的なスイッチは最低限必要であり、機器本体から余分なスイッチを１つでも減らすという要望を十分に満足させることはできなかった。
【０００６】
本発明はこのような事情に基づいてなされたもので、その目的とするところは、タッチパネルを備えた電子機器に設けられる機械的なスイッチを削減することにある。
【課題を解決するための手段】
【０００７】
本発明は、画像を表示するとともにユーザからのタッチ操作入力を検出するタッチパネルを備えた電子機器であって、タッチパネルとは別体で設けられたユーザ操作手段と、通常の動作が可能な通常動作モードと省電力の停止動作モードとを設定可能な動作モード設定手段と、タッチパネルからの操作入力を無効にするホールド状態と有効にするホールド解除状態とを切り換えることが可能なホールド切換手段と、ユーザ操作手段が所定時間以上操作された場合には動作モード設定手段を制御し、ユーザ操作手段が所定時間よりも短い時間のみ操作された場合にはホールド切換手段を制御する制御手段とを備えたものである。
【０００８】
また本発明は、上記制御手段が、ユーザ操作手段が所定時間以上操作された場合には通常動作モードと停止動作モードとの間で切換制御を行い、ユーザ操作手段が所定時間よりも短い時間のみ操作された場合にはホールド状態とホールド解除状態との間で切換制御を行うようにしたものである。
【０００９】
また本発明は、上記制御手段が、通常動作モード時にユーザ操作手段が所定時間以上操作された場合には動作モードを停止動作モードに移行するように制御し、通常動作モード時にユーザ操作手段が所定時間よりも短い時間のみ操作された場合にはホールド状態とホールド解除状態とを切り換えるように制御するものである。
【００１０】
この発明において、ユーザ操作手段が操作されてから所定時間が経過したことを報知する報知手段をさらに備えると好都合である。
【００１１】
報知手段は発光素子を有し、所定時間が経過した場合には発光素子を点滅または点灯させることが望ましい。
【００１２】
また報知手段は、通常動作モード時でかつホールド状態が設定されている場合に、ユーザ操作手段が操作されてから所定時間が経過したときの報知とは異なる態様でユーザに報知する手段を含むと、より好都合である。  
また、発光素子は、所定時間が経過したときには第１の周期で点滅を行い、通常動作モード時でかつホールド状態が設定されている場合には第１の周期とは異なる第２の周期で点滅を行うものであるとすると、より好都合である。
【００１３】
また、ホールド切換手段は、タッチパネルからの操作入力を無効にするホールド状態とする際、当該タッチパネルの表示を消灯するようにすると、都合がよい。
【００１４】
また本発明は、コンテンツを格納する記憶手段と、コンテンツの種類毎に対応した機能を設定する機能設定手段とをさらに備え、制御手段が、機能設定手段により設定されている機能に応じてホールド状態とホールド解除状態との切り換えを制御するものも含まれる。
【００１５】
この発明において、制御手段は、機能設定手段により設定されている機能が音楽コンテンツを再生可能な音楽再生機能である場合にはホールド状態への切換を許可し、上記機能が静止画像を処理する画像処理機能である場合にはホールド状態への切換を許可しないように制御することが望ましい。
【００１６】
また本発明は、映像信号および／または音声信号を外部装置へ出力する外部出力手段をさらに備え、制御手段が、ユーザ操作手段によるホールド状態とホールド解除状態との切換動作に連動して外部出力手段からの映像信号および／または音声信号の出力を行うか否かを制御するものも含まれる。
【００１７】
この発明において、クレードルと接続する接続手段と、クレードルに接続されているか否かを検出する検出手段とをさらに備え、クレードルに接続されていることが検出された場合のみ、制御手段が、外部出力手段からの映像信号および／または音声信号の出力を許可するようにすると好都合である。
【００１８】
この場合において、外部出力手段からの信号出力は、クレードルを介して行われることが望ましい。
【発明の効果】
【００１９】
かかる手段を講じた本発明によれば、タッチパネルを備えた電子機器の電源スイッチとホールドスイッチとを兼用させることができ、当該電子機器に必要な機械的なスイッチの数を削減することができる。
【発明を実施するための最良の形態】
【００２０】
以下、本発明を実施するための最良な形態について、図面を用いて説明する。  
なお、この実施の形態は、タッチパネルを備えた電子機器の一態様として、音楽や画像等のコンテンツを再生するデジタルカメラ機能付の携帯型プレーヤに本発明を適用した場合である。
【００２１】
はじめに、第１の実施の形態について、図１〜図６を用いて説明する。図１は第１の実施の形態における携帯型プレーヤ１の表面外観図であり、図２は同携帯型プレーヤ１の裏面外観図であり、図３は同携帯型プレーヤ１の全体構成を示すブロック図である。
【００２２】
当該携帯型プレーヤ１は、その筐体１０の表面に、タッチパネル１１と、報知手段としてのインジケータ１２とを設けている。また、裏面に撮像モジュール１３のカメラレンズ１３ａと、被写体照明装置１４とを設けている。タッチパネル１１は、画像を表示するＬＣＤ（Liquid Crystal Display）表示装置１１１と、このＬＣＤ表示装置１１１のバックライトであるＬＣＤ照明装置１１２と、ユーザからのタッチ操作入力を検出するタッチ操作入力装置１１３とによって構成されている。インジケータ１２は、発光素子であるＬＥＤ（Light Emitting Diode）と、ブザーとによって構成されている。
【００２３】
また、当該携帯型プレーヤ１は、筐体１０の上面にユーザ操作手段として電源スイッチ１５を設けている。この電源スイッチ１５は、プッシュ式スイッチ等の機械的なスイッチであり、タッチパネル１１の入力を無効にするホールド状態と有効にするホールド解除状態とを切り換えることを指令するホールドスイッチとしての機能を兼用する。
【００２４】
また、当該携帯型プレーヤ１は、ヘッドホンに設けられた遠隔操作装置（以下、リモコンと称する）との接続手段としてのインターフェイス１６を筐体１０の一側面に設けており、クレードル１７との接続手段としてのインターフェイス１８を底面に設けている。クレードル１７は、パソコン，テレビジョン，プリンタ等の外部装置とのドッキングステーションとして機能するもので、充電機能を併せ持つ。このため、このクレードル１７とのインターフェイス１８は、ＵＳＢ（Universal Serial Bus）等の外部通信インターフェイス部１８１の他に、映像信号および音声信号を外部装置へ出力する外部出力手段としてのＡＶ（Audio And Visual）信号出力回路１８２と、電源回路１８３を備えている。
【００２５】
当該携帯型プレーヤ１は、制御手段としてＣＰＵ（Central Processing Unit）１９を搭載している。そして、このＣＰＵ１９に、前記ＬＣＤ照明装置１１２、前記ＬＣＤ表示装置１１１のＬＣＤを駆動するＬＣＤドライバ２１、前記タッチ操作入力装置１１３、前記電源スイッチ１５、前記撮像モジュール１３、前記被写体照明装置１４、前記リモコンインターフェイス１６、前記インジケータ１２、前記ＡＶ信号出力回路１８２及び前記電源回路１８３が接続されている。また、バスライン２２を介して、作業用メモリとしてのＳＤＲＡＭ（Synchronous Dynamic Random Access Memory）２０、音楽データや画像データなどのコンテンツを格納する記憶手段としてのＨＤＤ装置２３、各種パラメータを記憶する不揮発性のフラッシュメモリ２４及び前記外部通信インターフェイス部１８１が、ＣＰＵ１９に接続されている。
【００２６】
かかる構成の携帯型プレーヤ１は、動作モードとして、通常の動作が可能な通常動作モードと、クロックは動作しているがＣＰＵ１９の動作を実行しないスリープモードと、クロックが停止され操作入力ができない省電力の停止動作モードとを設定可能な動作モード設定手段を有している。また、タッチパネル１１の入力を無効にするホールド状態と有効にするホールド解除状態とを切り換えることが可能なホールド切換手段を有している。
【００２７】
そして、通常動作モードの設定時には、コンテンツの種類毎の対応した機能として、ＨＤＤ装置２３に保存されている音楽コンテンツを再生することが可能な音楽再生機能と、ＨＤＤ装置２３に保存されている音楽コンテンツと画像コンテンツとをエフェクト付で同時に再生することが可能な音楽・画像同時再生機能と、撮像モジュール１３で撮影した静止画像をＨＤＤ装置２３に保存したりＨＤＤ装置２３に保存されている静止画像を閲覧し編集したりすることが可能な画像処理機能の３機能を選択的に設定する機能設定手段を有している。また、この通常動作モードの設定時に動的コンテンツの再生を行わない状態で所定時間（例えば３分間）操作入力がないとスリープモードに移行するようになっている。
【００２８】
一方、停止動作モードの設定時には、前述したようにクロックが停止され操作入力ができない状態、いわゆる、パワーオフの状態となっている。ただしＣＰＵ１９は、電源スイッチ１５の割込入力のみ受付ける。
【００２９】
ＣＰＵ１９が電源スイッチ１５の割込入力を受付けたときに実行する処理手順を図４の流れ図にて示す。すなわち、電源スイッチ１５が操作されてスイッチオンの割込信号がＣＰＵ１９に入力されると、ＣＰＵ１９は、ステップＳ１，ステップＳ２にてこの割込信号の入力時間をカウントする。そして、スイッチオンの割込信号が所定時間（例えば３秒間）入力された場合には、ステップＳ３にて電源オン，オフ切換処理を実行する。これに対し、所定時間未満でスイッチオンの割込信号が途絶えた場合には、ステップＳ４にてホールドオン，オフ切換処理を実行する。
【００３０】
図５は前記電源オン，オフ切換処理の具体的処理手順を示す流れ図である。ＣＰＵ１９は、スイッチオンの割込信号が所定時間入力されると、この電源オン，オフ切換処理に入る。そして先ず、ステップＳ３１にて現時点の動作モードが通常動作モードなのか否かを判断する。ここで、通常動作モードでない、すなわちスリープモードか停止動作モードであった場合には、ステップＳ３２にて動作モードを通常動作モードに移行して、この処理ルーチンを抜ける。
【００３１】
ステップＳ３１にて現時点の動作モードが通常動作モードであった場合には、ＣＰＵ１９は、ステップＳ３３にてインジケータ１２のＬＥＤを例えば周波数５〜１０Ｈｚの第１の周期で高速点滅させて（報知手段）、電源スイッチ１５から指を離すと電源がオフすることをユーザに知らせる。そして、ステップＳ３４にて電源スイッチ１５から指が離されたためにスイッチオンの割込信号が途絶えると、ＣＰＵ１９は、ステップＳ３５にてＬＥＤの点滅を停止させる。しかる後、ステップＳ３６にて動作モードを停止動作モードに移行して（制御手段）、この処理ルーチンを抜ける。
【００３２】
図６は前記ホールドオン，オフ切換処理の具体的処理手順を示す流れ図である。ＣＰＵ１９は、スイッチオンの割込信号が所定時間未満で途絶えると、このホールドオン，オフ切換処理に入る。そして先ず、ステップＳ４１，ステップＳ４２にて現時点の動作モードを判別する。ここで、停止動作モードであった場合には、この処理ルーチンを抜ける。また、スリープモードであった場合には、ステップＳ４３にて動作モードを通常動作モードに移行して、この処理ルーチンを抜ける。
【００３３】
これに対し、通常動作モードであった場合には、ＣＰＵ１９は、ステップＳ４４にてホールド状態か否かを判別する。ここで、ホールド状態でなかった場合には、ＣＰＵ１９は、ステップＳ４５にてＳＤＲＡＭ２０に記憶されているホールドフラグ（Ｆ＿ＨＯＬＤ）を“１”にセットするとともに、ステップＳ４６にてホールド状態を設定して、タッチパネル１１からの操作入力を受付けずに無効とするようにする（制御手段）。また、ステップＳ４７にてＬＣＤ照明装置１１２を消灯させて、ＬＣＤ表示装置１１１の表示をオフする。さらに、ステップＳ４８にてインジケータ１２のＬＥＤを例えば周波数０．５〜１Ｈｚの第２の周期で低速点滅させて（報知手段）、ホールド状態であることをユーザに知らせる。以上で、この処理ルーチンを抜ける。
【００３４】
一方、ステップＳ４４にてホールド状態であった場合には、ＣＰＵ１９は、ステップＳ４９にてＬＥＤの点滅を停止させる。また、ステップＳ５０にてＬＣＤ照明装置１１２を点灯させて、ＬＣＤ表示装置１１１の表示をオンする。しかる後、ステップＳ５１にてホールドフラグ（Ｆ＿ＨＯＬＤ）を“０”にリセットするとともに、ステップＳ５２にてホールド状態の設定を解除して、タッチパネル１１からの操作入力を受付けるようにする（制御手段）。以上で、この処理ルーチンを抜ける。
【００３５】
このように構成された第１の実施の形態の携帯型プレーヤ１においては、動作モードがパワーオフの状態である停止動作モードであった際に、ユーザが電源スイッチ１５を所定時間（例えば３秒間）以上の長押し操作すると、動作モードが通常動作モードに移行する。すなわち、電源がオンしたこととなる。これにより、ユーザは、当該携帯型プレーヤ１を用いてＨＤＤ装置２３に保存されている音楽コンテンツを再生したり（音楽再生機能）、音楽コンテンツと同時にＨＤＤ装置２３に保存されている画像コンテンツを再生してスライドショーを楽しんだり（音楽・画像同時再生機能）、撮像モジュール１３で静止画像を撮像したり（画像処理機能）することができる。
【００３６】
そして、この通常動作モードの実行中に、ユーザが電源スイッチ１５を所定時間未満の短押し操作すると、ホールド状態となり、タッチパネル１１からの入力が無効となる。したがって、例えば音楽コンテンツの再生中に誤ってタッチパネル１１に表示されているＧＵＩボタンの停止ボタンに触れてしまっても、音楽コンテンツの再生が停止するといった誤動作が発生するのを防ぐことができる。
【００３７】
また、ホールド状態になると、ＬＣＤ照明装置１１２が消灯してＬＣＤ表示装置１１１の表示がオフとなるとともに、インジケータ１２のＬＥＤが低速で点滅する。これにより、ユーザは、ホールド状態であることを容易に認識することができる。
【００３８】
次に、このホールド状態において、ユーザが電源スイッチ１５を再度所定時間未満の短押し操作すると、ホールド状態が解除され、タッチパネル１１からの入力が有効となる。また、ＬＣＤ照明装置１１２が点灯してＬＣＤ表示装置１１１の表示がオンとなるとともに、インジケータ１２のＬＥＤ点滅動作が停止する。これにより、ユーザは、ホールド状態が解除されたことを容易に認識することができる。
【００３９】
また、通常動作モードの実行中に、動的コンテンツの再生を行わない状態で所定時間（例えば３分間）操作入力がないと、動作モードがスリープモードに移行する。このスリープモードにおいて、ユーザが電源スイッチ１５を短押し操作あるいは長押し操作すると、通常動作モードに復帰する。
【００４０】
また、通常動作モードの実行中に、ユーザが電源スイッチ１５を所定時間（例えば３秒間）長押し操作すると、インジケータ１２のＬＥＤが高速で点滅する。これにより、ユーザは、電源スイッチ１５から指を離すと電源がオフすることを知り得る。そこでユーザは、電源スイッチ１５から指を離す。そうすると、ＬＥＤの点滅動作が停止し、動作モードが停止動作モードに移行する。
【００４１】
以上の説明から明らかなように、第１の実施の形態の携帯型プレーヤ１においては、電源スイッチ１５がホールドスイッチとしての機能を兼用することとなる。したがって、機械的なスイッチとして電源スイッチ１５以外にホールドスイッチを設ける必要がないので、部品点数を削減することができ、製品の低コスト化及びデザインの簡素化を実現することができる。
【００４２】
次に、本発明の第２の実施の形態について、図７〜図９を用いて説明する。図７は第２の実施の形態における携帯型プレーヤ１の全体構成を示すブロック図であり、図３と共通する部分には同一符号を付している。図示するように、この第２の実施の形態が第１の実施の形態と異なる点は、電源スイッチ１５の信号がＣＰＵ１９だけでなく電源回路１８３にも直接入力されている点である。
【００４３】
また、ＣＰＵ１９と電源回路１８３も第１の実施の形態と役目が異なる。以下、この点について図８及び図９の流れ図を用いて説明する。
【００４４】
図８は動作モードが通常動作モードの際に電源スイッチ１５が操作されたときの処理手順を示す流れ図である。すなわち、通常動作モードの際に電源スイッチ１５が操作されてスイッチオンの割込信号がＣＰＵ１９に入力されると、ＣＰＵ１９は、ステップＳ６１，ステップＳ６２にてこの割込信号の入力時間をカウントする。そして、スイッチオンの割込信号が所定時間（例えば３秒間）未満で途絶えた場合には、ＣＰＵ１９は、ステップＳ６３にて第１の実施の形態と同様のホールドオン，オフ切換処理（図６を参照）を実行する。
【００４５】
これに対し、スイッチオンの割込信号が所定時間（例えば３秒間）以上入力された場合には、ＣＰＵ１９は、ステップＳ６４にてインジケータ１２のＬＥＤを例えば周波数５〜１０Ｈｚの第１の周期で高速点滅させて、電源スイッチ１５から指を離すと電源がオフすることをユーザに知らせる。そして、ステップＳ６５にて電源スイッチ１５から指が離されたためにスイッチオンの割込信号が途絶えると、ＣＰＵ１９は、ステップＳ６６にてＬＥＤの点滅を停止させる。また、ステップＳ６７にてＳＤＲＡＭに記憶されているホールドフラグ（Ｆ＿ＨＯＬＤ）の値をフラッシュメモリ２４に保存する。しかる後、ＣＰＵ１９は、ステップＳ６８にて動作モードを停止動作モードに移行して各種退避等の終了処理を実行したならば、ステップＳ６９にてＣＰＵ１９への電力供給を停止して、全ての処理を終了する。
【００４６】
図９は動作モードが停止動作モードの際に電源スイッチ１５が操作されたときの処理手順を示す流れ図である。すなわち、停止動作モードの際に電源スイッチ１５が操作されてスイッチオンの信号が電源回路１８３に入力されると、ステップＳ７１にて当該電源回路１８３が起動し、ＣＰＵ１９に対して電力が供給される。これにより、ステップＳ７２にてＣＰＵ１９が起動する。そしてＣＰＵ１９は、ステップＳ７３にて動作モードを通常動作モードに設定する。
【００４７】
次いで、ＣＰＵ１９は、ステップＳ７４にてフラッシュメモリ２４に保存されているホールドフラグ（Ｆ＿ＨＯＬＤ）の値を読み込む。そして、ステップＳ７５にてこのホールドフラグ（Ｆ＿ＨＯＬＤ）の値が“１”、すなわち、停止動作モードへの移行前にホールド状態が設定されていた場合には、ＣＰＵ１９は、ステップＳ７６にてホールド状態として、タッチパネル１１からの操作入力を無効とする。これに対し、ホールドフラグ（Ｆ＿ＨＯＬＤ）の値が“０”、すなわち、停止動作モードへの移行前にホールド状態が設定されていなかった場合には、ＣＰＵ１９は、ホールド状態とせず、タッチパネル１１からの入力を有効とする。
【００４８】
このように構成された第２の実施の形態の携帯型プレーヤ１においては、通常動作モードで動作中に、ユーザが電源スイッチ１５を所定時間未満の短押し操作すると、ホールド状態となり、タッチパネル１１からの入力が無効となる。また、このホールド状態において、ユーザが電源スイッチ１５を再度所定時間未満の短押し操作すると、ホールド状態が解除され、タッチパネル１１からの入力が有効となる。
【００４９】
また、通常動作モードで動作中に、ユーザが電源スイッチ１５を所定時間（例えば３秒間）長押し操作すると、インジケータ１２のＬＥＤが高速で点滅する。これにより、ユーザは、電源スイッチ１５から指を離すと電源がオフすることを知り得る。そこでユーザは、電源スイッチ１５から指を離す。そうすると、ＬＥＤの点滅動作が停止し、停止動作モードに移行する。そして、各種退避等の終了処理が行われた後、ＣＰＵ１９への電力供給が停止される。すなわち、停止動作モードになるとＣＰＵ１９は完全に停止しており、この点が第１の実施の形態と異なる。よって、停止動作モードの際には、電源回路１８３の一部のみ動作している。
【００５０】
また、停止動作モードの際に、ユーザが電源スイッチ１５を短押し操作あるいは長押し操作すると、電源スイッチ１５の信号が電源回路１８３へ直接入力される。これにより、ＣＰＵ１９への電力供給が再開され、ＣＰＵ１９が起動して、通常動作モードに移行する。
【００５１】
したがって、この第２の実施の形態においても、電源スイッチ１５がホールドスイッチとしての機能を兼用することとなるので、第１の実施の形態と同様な効果を奏し得る。
【００５２】
また、この第２の実施の形態においては、停止動作モードから通常動作モードへ移行した際に、フラッシュメモリ２４に保存されたホールドフラグ（Ｆ＿ＨＯＬＤ）の値が読み出され、“１”にセットされていた場合にはホールド状態が設定されるようになっている。したがって、停止動作モードの状態で鞄等に入れられていた携帯型プレーヤ１の電源スイッチ１５が誤って押圧されて通常動作モードに移行してしまっても、停止動作モードに移行する際にホールド状態を設定しておけばホールド状態となってタッチパネル１１からの入力を受付けないので、誤動作を防止することができる。
【００５３】
次に、本発明の第３の実施の形態について、図１０を用いて説明する。この第３の実施の形態は、通常動作モードで動作中の機能が音楽再生機能であった場合のみ、ホールド状態を有効にするという点が第１の実施の形態と異なり、携帯型プレーヤ１の全体構成は第１の実施の形態と同様であるので、図３を用いてその説明は省略する。また、ＣＰＵ１９が電源スイッチ１５の割込入力を受付けたときに実行する処理手順（図４）と、電源オン，オフ切換処理の具体的処理手順（図５）も第１の実施の形態と同様であるので、図４及び図５を用いてその説明を省略する。
【００５４】
図１０は、第３の実施の形態におけるホールドオン，オフ切換処理の具体的処理手順を示す流れ図である。なお、第１の実施の形態における同処理を示した図６と共通する処理ステップには同一符号を付し、詳しい説明は省略する。
【００５５】
すなわち、第３の実施の形態におけるホールドオン，オフ切換処理が第１の実施の形態と異なる点は、ステップＳ４１にて通常動作モードであり、かつステップＳ４４にてホールド状態でないとき、ＣＰＵ１９は、ステップＳ８１にて音楽再生機能が実行中か否かを判断する。そして、音楽再生機能が実行中の場合のみ前記ステップＳ４５〜Ｓ４８の各処理を実行してホールド状態を設定し、他の機能、例えば音楽・画像同時再生機能や画像処理機能を実行中は前記ステップＳ４５〜Ｓ４８の各処理を実行しない。すなわち、ホールド状態に設定されない点である。
【００５６】
このような構成の第３の実施の形態においても、電源スイッチ１５がホールドスイッチとしての機能を兼用する点は変わりないので、第１の実施の形態と同様な効果を奏することは言うまでもないことである。
【００５７】
それに加えて、この第３の実施の形態においては、ホールド状態の設定を音楽再生機能を実行中のときのみ有効としている。したがって、音楽・画像同時再生機能や画像処理機能を実行中はホールド状態にならないので、画像を表示中であるにも係らずホールド状態を設定したためにＬＣＤ表示装置１１１の表示がオフしてしまう等、不要なホールド状態設定を防止することができる。
【００５８】
次に、本発明の第４の実施の形態について、図１１を用いて説明する。この第４の実施の形態は、通常動作モードで画像コンテンツや音楽コンテンツを再生中にホールド状態を設定すると、クレードル１７にテレビジョンあるいはパソコン等のモニタ機能を有する外部装置が接続されている場合に限り、クレードル１７を介して画像コンテンツの映像信号や音楽コンテンツの音声信号を出力し、外部装置で画像を閲覧したり音楽を聞いたりできるようにした点が第１の実施の形態と異なり、携帯型プレーヤ１の全体構成は第１の実施の形態と同様であるので、図３を用いてその説明は省略する。また、ＣＰＵ１９が電源スイッチ１５の割込入力を受付けたときに実行する処理手順（図４）と、電源オン，オフ切換処理の具体的処理手順（図５）も第１の実施の形態と同様であるので、図４及び図５を用いてその説明を省略する。
【００５９】
図１１は、第４の実施の形態におけるホールドオン，オフ切換処理の具体的処理手順を示す流れ図である。なお、第１の実施の形態における同処理を示した図６と共通する処理ステップには同一符号を付し、詳しい説明は省略する。
【００６０】
すなわち、第４の実施の形態におけるホールドオン，オフ切換処理が第１の実施の形態と異なる点は、ステップＳ４１にて通常動作モードであり、かつステップＳ４４にてホールド状態でないとき、ＣＰＵ１９は、前記ステップＳ４５〜Ｓ４８の各処理を実行してホールド状態を設定した後、ステップＳ９１にてクレードル１７にテレビジョンあるいはパソコン等の外部装置が接続されているか否かを検出する（検出手段）。そして、接続されていることを検出した場合には、ＣＰＵ１９は、ステップＳ９２にて音楽コンテンツを再生中はその音声信号を、また画像コンテンツを再生中はその映像信号をそれぞれＡＶ信号出力回路１８２からクレードル１７を介して当該外部装置に出力する点である。
【００６１】
また、ステップＳ４１にて通常動作モードであり、かつステップＳ４４にてホールド状態でないとき、ＣＰＵ１９は、前記ステップＳ４９〜Ｓ５２の各処理を実行してホールド状態を解除する前に、ステップＳ９３にてＡＶ信号出力回路１８２から映像信号及び音声信号のいずれか一方または両方を出力中か否かを判断し、出力中の場合には、ステップＳ９４にてその信号出力を全て停止する処理を実行する点である。
【００６２】
このような構成の第４の実施の形態においても、電源スイッチ１５がホールドスイッチとしての機能を兼用する点は変わりないので、第１の実施の形態と同様な効果を奏することは言うまでもないことである。
【００６３】
それに加えて、この第４の実施の形態においては、通常動作モードで画像コンテンツや音楽コンテンツを再生中に、クレードル１７にテレビジョンあるいはパソコン等の外部装置を接続し、ホールド状態を設定すると、クレードル１７を介して再生中の映像信号や音声信号が外部装置に出力されるので、ホールド状態に設定するための簡単な操作を行うだけで外部装置を用いて画像を閲覧したり音楽を聞いたりできる効果を奏する。
【００６４】
なお、この発明は前記実施形態そのままに限定されるものではなく、実施段階ではその要旨を逸脱しない範囲で構成要素を変形して具体化できる。
【００６５】
例えば、前記第３の実施の形態では、通常動作モードで実行中の機能が音楽再生機能であった場合のみホールド状態への切換を許可したが、音楽・画像同時再生機能を実行中の際にも所定の条件に合致した場合にホールド状態への切換を許可してもよい。また、音楽・画像同時再生機能を実行している状態で、電源スイッチ１５が短押しされると、自動的に音楽再生機能に移行するようにしてもよい。また、ホールド状態への切換が許可されないときには、インジケータ１２あるいはＬＣＤ表示装置１１１を利用して、ホールド状態が設定されないことをユーザに警告してもよい。
【００６６】
また、前記各実施の形態では、ＬＥＤを点滅させることによって電源スイッチ１５が操作されてから所定時間が経過したことを報知したが、ＬＥＤを連続点灯させることによって同様なことを報知してもよい。また、ＬＥＤの点滅あるいは点灯と同期させてブザーを鳴動させてもよい。また、前記各実施の形態では、上記所定時間を例えば３秒間としたが、この時間が３秒間に限定されないのは言うまでもないことである。
【００６７】
なお、この発明は、携帯型プレーヤ１に限定されるものではなく、タッチパネルを有する電子機器であって、動作モードとして通常動作モードと停止動作モードとの設定が可能な電子機器全般に適用できるものである。これに関連して、コンテンツの種類毎に対応した機能も音楽再生機能や画像処理機能等に限定されるものではない。
【００６８】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００６９】
【図１】本発明の各実施の形態における携帯型プレーヤの表面外観図。
【図２】同携帯型プレーヤの裏面外観図。
【図３】本発明の第１，第３，第４の各実施の形態における携帯型プレーヤの全体構成を示すブロック図。
【図４】同各実施の形態において携帯型プレーヤのＣＰＵが電源スイッチの割込入力を受付けたときに実行する処理手順を示す流れ図。
【図５】同各実施の形態における携帯型プレーヤの電源オン，オフ切換処理の具体的処理手順を示す流れ図。
【図６】本発明の第１の実施の形態における携帯型プレーヤのホールドオン，オフ切換処理の具体的処理手順を示す流れ図。
【図７】本発明の第２の各実施の形態における携帯型プレーヤの全体構成を示すブロック図。
【図８】同第２の実施の形態における携帯型プレーヤの通常動作モード時に電源スイッチがオンされたときの具体的処理手順を示す流れ図。
【図９】同第２の実施の形態における携帯型プレーヤの停止動作モード時に電源スイッチがオンされたときの具体的処理手順を示す流れ図。
【図１０】本発明の第３の実施の形態における携帯型プレーヤのホールドオン，オフ切換処理の具体的処理手順を示す流れ図。
【図１１】本発明の第４の実施の形態における携帯型プレーヤのホールドオン，オフ切換処理の具体的処理手順を示す流れ図。
【符号の説明】
【００７０】
１…携帯型プレーヤ、１１…タッチパネル、１２…インジケータ、１３…撮像モジュール、１４…被写体照明装置、１５…電源スイッチ、１６…リモコンインターフェイス、１７…クレードル、１８…クレードルインターフェイス、１９…ＣＰＵ、２０…ＳＤＲＡＭ、２１…ＬＣＤドライバ、２２…バスライン、２３…ＨＤＤ装置、２４…フラッシュメモリ、１８１…外部通信インターフェイス、１８２…ＡＶ信号出力回路、１８３…電源回路。
【図１】
2006107194.tif 000003
【図２】
2006107194.tif 000004
【図３】
2006107194.tif 000005
【図４】
2006107194.tif 000006
【図５】
2006107194.tif 000007
【図６】
2006107194.tif 000008
【図７】
2006107194.tif 000009
【図８】
2006107194.tif 000010
【図９】
2006107194.tif 000011
【図１０】
2006107194.tif 000012
【図１１】
2006107194.tif 000013